(57)【要約】      （修正有）【課題】骨折治療用プレートを橈骨に止める骨ピン又は骨ネジの緩みを防止する。【解決手段】頭板部側の貫通穴９，１０は、骨の遠位端部の軟骨下骨６ｃに沿うように二列にわたって設けられ、そのうち遠位側列の貫通穴９には、骨ネジ又は骨ピン７の頭部７ａに形成された雄ネジが螺合する雌ネジが形成され、近位側列の貫通穴１０の内周面には、近位側列の各貫通穴の軸心を含み、上記遠位側列の貫通穴９に通された骨ネジ又は骨ピン７の隣り合うもの同士間を通る平面が上記内周面と交差する箇所において、骨ネジ又は骨ピン８の上記雄ネジと噛み合う突起１３の列が上記軸心方向に並ぶように形成され、上記遠位側列の所望の貫通穴に装着された骨ネジ又は骨ピンが上記軟骨下骨に当接し、かつ上記近位側列の所望の貫通穴に装着された骨ネジ又は骨ピン８が上記軟骨下骨の他の箇所に当接するようにした。【選択図】図２
2014147553.tif 000002
【特許請求の範囲】
【請求項１】
骨の幹部に当てられる幹板部と、骨の遠位端部に当てられる頭板部とを備え、上記幹板部と上記頭板部の各々に骨ネジ又は骨ピンを挿入するための複数個の貫通穴が形成された骨折治療用プレートにおいて、上記頭板部側の貫通穴は、骨の遠位端部の軟骨下骨に沿うように二列にわたって設けられ、そのうち遠位側列の貫通穴には、骨ネジ又は骨ピンの頭部に形成された雄ネジが螺合する雌ネジが形成され、近位側列の貫通穴の内周面には、近位側列の各貫通穴の軸心を含み、上記遠位側列の貫通穴に通された骨ネジ又は骨ピンの隣り合うもの同士間を通る平面が上記内周面と交差する箇所において、骨ネジ又は骨ピンの上記雄ネジと噛み合う突起の列が上記軸心方向に並ぶように形成され、上記遠位側列の所望の貫通穴に装着された骨ネジ又は骨ピンが上記軟骨下骨に当接し、かつ上記近位側列の所望の貫通穴に装着された骨ネジ又は骨ピンが上記軟骨下骨の他の箇所に当接するようにしたことを特徴とする骨折治療用プレート。
【請求項２】
請求項１に記載の骨折治療用プレートにおいて、上記突起の列は、雌ネジの一部として形成されたことを特徴とする骨折治療用プレート。
【請求項３】
請求項１又は請求項２に記載の骨折治療用プレートにおいて、上記雄ネジ又は雌ネジは、多条ネジとして形成されたことを特徴とする骨折治療用プレート。
【発明の詳細な説明】
【技術分野】
【０００１】
本発明は、橈骨の遠位端部に生じた骨折を治療するための骨折治療用プレートに関する。
【背景技術】
【０００２】
従来、橈骨における遠位端部の骨折の治療に、骨折治療用プレートが用いられている。この骨折治療用プレートは、橈骨の幹部に当てられる幹板部と、橈骨の遠位端部に当てられる頭板部とを備えており、幹板部と頭板部のそれぞれに骨ネジ又は骨ピンを挿入するための貫通穴が形成されている。
【０００３】
例えば、橈骨の遠位端部の骨折を治療する場合は、骨折線を跨ぐように骨折治療用プレートの頭板部と幹板部が橈骨の遠位端部と幹部に各々当てられ、貫通穴に骨ネジや骨ピンが通されて橈骨に埋め込まれ、これにより、骨折治療用プレートを介して遠位端部の骨断片が幹部に固定される（例えば、特許文献１、２、３参照。）。
【０００４】
骨ネジや骨ピンは骨折の状態に応じて骨断部位を適切に固定することができるように、骨折治療用プレートに対し種々の角度で固定可能であるのが望ましいとされる。そのため、骨プレートには特殊な雌ネジが形成される。すなわち、骨折治療用プレートには骨ネジを通すための孔が形成され、この孔の内周面に骨ネジの頭部に設けられた雄ネジと螺合する雌ネジが形成される。そして、この孔の内周面には孔の軸方向に伸びる多数の凹部が形成され、これら凹部の存在により上記雌ネジは周方向において多数箇所に分割して設けられることになる。これにより、骨ネジの頭部の雄ネジは骨折治療用プレートの孔の雌ネジと螺旋がずれた状態で係合可能となり、従って、骨ネジは骨折治療用プレートに対し種々の角度で固定可能になり、多軸型としての使用が可能となる（例えば、特許文献２、４参照。）。
【先行技術文献】
【特許文献】
【０００５】
【特許文献１】特表２０００−５１２１８６号公報
【特許文献２】特表２０１０−５３６４２７号公報
【特許文献３】特開２０１１−５１４１９６号公報
【特許文献４】特許第４９９９３２７号公報
【発明の概要】
【発明が解決しようとする課題】
【０００６】
図８に示すごとく骨折治療用プレート１を橈骨２の遠位端側骨折部に取り付けた後に、骨ピン３，４又は骨ネジに緩みやズレが生じると、橈骨の遠位端部には矢印で示す方向に筋力等による外力Ｆが作用していることから、骨折部における骨片２ａ，２ｂが橈骨の幹部２ｃ側に落ち込みやすく、この落ち込みが生じると骨折が正常に治癒しなくなるおそれがある。
【０００７】
例えば、特許文献１に記載のごとく、骨折治療用プレートの貫通穴が単なる丸穴である場合は、骨ネジを多軸型として用いることができ、骨ネジや骨ピンを適正位置に埋設することができるが、骨ネジや骨ピンを貫通穴から骨に挿入して固定した後、骨に無理な力が加わると、骨ネジや骨ピンが緩んだり、ズレたりするおそれがある。
【０００８】
また、特許文献２に記載されるように、骨折治療用プレートの貫通穴と骨ネジや骨ピンの頭部とを球形にし、この球面にネジを形成した場合も、骨ネジ又は骨ピンを多軸型として用いることで骨ネジや骨ピンを適正位置に埋設することができるが、ネジ部の結合力が比較的弱いので、骨に無理な力が加わると骨ネジ又は骨ピンが緩んだり、傾いたりするおそれがある。
【０００９】
また、特許文献３に記載のごとく骨折治療用プレートの貫通穴内に球形の座面を形成し、この座面内に球形のナットを入れ、ナットに骨ネジ又は骨ピンの頭部のネジ軸をねじ込むようにした場合も、骨ネジ又は骨ピンを多軸型として用いることができるが、骨ネジ又は骨ピンのすべてにこの結合手段を採用した場合には、骨に無理な力が加わると骨ネジ又は骨ピンが緩んだり、傾いたりするおそれがある。
【００１０】
さらに、特許文献２，４のごとく骨折治療用プレートの孔内の雌ネジをその周方向で間欠的に形成した場合も、骨ネジ等を多軸型として利用することができるが、所定の骨ネジ等についてその方向を一定平面内に収めたい場合は対応し難い。このような場合に所定の骨ネジ等の方向が上記一定平面から外れると、骨ネジ等に緩みが生じてしまう。
【課題を解決するための手段】
【００１１】
上記課題を解決するため、本発明は次のような構成を採用する。
【００１２】
なお、本発明の理解を容易にするため図面の参照符号を括弧書きで付するが、本発明はこれに限定されるものではない。
【００１３】
すなわち、請求項１に係る発明は、骨（６）の幹部（６ｂ）に当てられる幹板部（５ｂ）と、骨（６）の遠位端部（６ａ）に当てられる頭板部（５ａ）とを備え、上記幹板部（５ｂ）と上記頭板部（５ａ）の各々に骨ネジ又は骨ピンを挿入するための複数個の貫通穴が形成された骨折治療用プレートにおいて、上記頭板部（５ａ）側の貫通穴（９，１０）は、骨（６）の遠位端部（６ａ）の軟骨下骨（６ｃ）に沿うように二列にわたって設けられ、そのうち遠位側列の貫通穴（９）には、骨ネジ又は骨ピン（７）の頭部（７ａ）に形成された雄ネジが螺合する雌ネジ（９ａ）が形成され、近位側列の貫通穴（１０）の内周面には、近位側列の各貫通穴（１０）の軸心（１０ａ）を含み、上記遠位側列の貫通穴（９）に通された骨ネジ又は骨ピン（７）の隣り合うもの同士間を通る平面（１０ｂ）が上記内周面と交差する箇所において、骨ネジ又は骨ピン（８）の上記雄ネジと噛み合う突起（１３）の列が上記軸心（１０ａ）方向に並ぶように形成され、上記遠位側列の所望の貫通穴（９）に装着された骨ネジ又は骨ピン（７）が上記軟骨下骨（６ｃ）に当接し、かつ上記近位側列の所望の貫通穴（１０）に装着された骨ネジ又は骨ピン（８）が上記軟骨下骨（６ｃ）の他の箇所に当接するようにした骨折治療用プレート（５）を採用する。
【００１４】
請求項２に記載されるように、請求項１に記載の骨折治療用プレート（５）において、上記突起（１３）の列は、雌ネジの一部として形成されたものとすることができる。
【００１５】
請求項３に記載されるように、請求項１又は請求項２に記載の骨折治療用プレート（５）において、上記雄ネジ又は雌ネジは、多条ネジとして形成されたものとすることができる。
【発明の効果】
【００１６】
遠位側列の貫通穴（９）に装着される骨ネジ又は骨ピン（７）は、その頭部（７ａ）の雄ネジが貫通穴（９）の雌ネジ（９ａ）と螺合するので、骨折治療用プレート（５）に強固に固定される。また、近位側列の貫通穴（１０）に装着される骨ピン（８）又は骨ネジは、その頭部（８ａ）の雄ネジが貫通穴（１０）の突起（１３）の列と噛み合うので、骨折治療用プレート（５）に強固に固定される。従って、遠位側列の骨ネジ又は骨ピン（７）が軟骨下骨（６ｃ）の所望箇所に当接し、かつ、近位側列の骨ピン（８）又は骨ネジが軟骨下骨（６ｃ）の他の箇所に当接した状態が術後においても長期間にわたり適正に維持される。
【００１７】
また、近位側列の貫通穴（１０）の内周面には、近位側列の各貫通穴（１０）の軸心（１０ａ）を含み、遠位側列の貫通穴（９）に通された骨ネジ又は骨ピン（７）の隣り合うもの同士間を通る平面（１０ｂ）が上記内周面と交差する箇所において、骨ネジ又は骨ピン（８）の雄ネジと噛み合う突起（１３）の列が形成されることから、近位側列の各貫通穴（１０）に装着される骨ネジ又は骨ピン（８）は、その頭部（８ａ）の雄ネジと突起（１３）の列との噛み合いに際し、術者の操作に応じて上記平面（１０ｂ）外に出ることなく上記平面（１０ｂ）内で方向を自在に変え得る。従って、近位側列の各貫通穴（１０）に装着される骨ネジ又は骨ピン（８）は、遠位側列の貫通穴（９）に通された骨ネジ又は骨ピン（７）に接触することなく、適正な位置に挿入されることとなり、迅速な施術が可能となる。
【図面の簡単な説明】
【００１８】
【図１】本発明の実施の形態１に係る骨折治療用プレートを橈骨の骨折部に取り付けた状態を示す平面図である。
【図２】図１中、ＩＩ−ＩＩ線矢視図である。
【図３】図１中、ＩＩＩ−ＩＩＩ線矢視図である。
【図４】（Ａ）は骨折治療用プレートの平面図、（Ｂ）は底面図である。
【図５】図２中、Ｖ部分の拡大図である。
【図６】図４（Ａ）中、近位側列における一つの貫通孔の平面図である。
【図７】図２中、ＶＩＩ部分の拡大図であり、（Ａ）（Ｂ）（Ｃ）は骨ネジ又は骨ピンが各々異なる傾斜角度で骨折治療用プレートに固定された状態を示す。
【図８】骨ネジ又は骨ピンにズレ、緩み等が生じたために、橈骨の遠位端側骨折部における骨片が頭骨の幹部側に落ち込んだ状態を示す説明図である。
【発明を実施するための形態】
【００１９】
以下、図面を参照して本発明の実施の形態について説明する。
【００２０】
図１に示すように、この骨折治療用プレート５は、例えば左手の橈骨６における遠位端部６ａの骨折を治療するために用いられる。
【００２１】
なお、図１中、符号１１は尺骨を示す。
【００２２】
図１及び図４（Ａ）（Ｂ）に示すように、この骨折治療用プレート５は、橈骨６の遠位端部６ａに当てられる頭板部５ａと、橈骨６の幹部６ｂに掌側から当てられる幹板部５ｂとを備える。
【００２３】
骨折治療用プレート５は全体として一枚の薄い金属板で形成され、頭板部５ａと幹板部５ｂは略Ｔ字形を呈するように連なる。金属材料としては骨の弾性係数に近い例えば純チタンやチタン合金が使用される。
【００２４】
骨折治療用プレート５は、図１に示すように、骨折線Ａを跨ぐように橈骨６に当てられ、図５及び図７に示すような骨ピン７，８によって橈骨６に固定される。骨ピン７，８は骨折の箇所、状態等によって図示しない骨ネジで代替される場合もある。骨ピン７，８と骨ネジは骨折の箇所、状態等によって適宜選択使用される。このように骨折治療用プレート５が骨ピン７，８や骨ネジによって橈骨６に固定されることにより、橈骨６の遠位端部６ａにおける破断した骨片同士が繋ぎ合わせられるとともに、これら骨片が橈骨６の幹部６ｂに連結される。
【００２５】
図１及び図４（Ａ）（Ｂ）に示すように、上記頭板部５ａには、上記骨ピン７，８又は骨ネジを通すための貫通穴９，１０が、頭板部５ａの先端辺に沿うように二列にわたって設けられる。頭板部５ａの先端辺は、図１に示すように、橈骨６の遠位端部６ａの軟骨下骨６ｃに沿うように伸びている。図２に示すように、貫通穴９，１０に挿入した骨ピン７，８又は骨ネジは、この軟骨下骨６ｃに接するように配置される。
【００２６】
図５に示すように、貫通穴９，１０の列のうち遠位側列の貫通穴９には、雌ネジ９ａが一条ネジ又は多条ネジとして形成される。雌ネジ９ａの螺旋の軸心は、図２に示すように、貫通穴９に挿入される骨折治療用プレート５が橈骨６に当てられた状態で、軟骨下骨６ｃの湾曲面に接し得るように伸びる。
【００２７】
貫通穴９に通される骨ピン７は単軸型であって頭部７ａと軸部７ｂとを具備し、様々な長さの軸部７ｂを備えたものが用意される。単軸型の骨ピン７における各々の頭部７ａには上記雌ネジ９ａと螺合する雄ネジが形成され、各々の軸部７ｂの表面は平滑面とされる。雄ネジの条数は、雌ネジ９ａの条数に合うように設定される。貫通穴９によっては単軸型の骨ピン７に代えて図示しない単軸型の骨ネジが使用される場合もあるが、この単軸型の骨ネジの軸部の表面にはタッピング用の雄ネジが形成される。
【００２８】
上記骨ピン７又は骨ネジが貫通穴９内に挿入され、頭部７ａの雄ネジが貫通穴９内の雌ネジ９ａと螺合すると、図２に示すように、軸部７ｂの表面の平滑面又は雄ネジが軟骨下骨６ｃに接触する。この単軸型の骨ピン７又は骨ネジはその頭部７ａが骨折治療用プレート５の貫通穴９と強固にネジ結合されていることから、術後に緩んだり、ズレたりすることがなく、従って、図８のような骨片２ａ，２ｂの落ち込み等が防止される。
【００２９】
また、上記二列の貫通穴９，１０のうち、近位側列の貫通穴１０には、平面内多軸型の骨ネジ８又は骨ピンを固定する固定手段が設けられる。
【００３０】
貫通穴１０に通される骨ピン８は、平面内多軸型であって頭部８ａと軸部８ｂとを具備し、様々な長さの軸部８ｂを備えたものが用意される。骨ピン８における各々の頭部８ａには雄ネジが形成され、各々の軸部８ｂの表面は平滑面とされる。貫通穴１０によっては骨ピン８に代えて図示しない骨ネジが使用される場合もあるが、この骨ネジの軸部の表面にはタッピング用の雄ネジが形成される。
【００３１】
図４、図６及び図７（Ａ）（Ｂ）（Ｃ）に示すように、骨ピン８又は骨ネジの固定手段として、近位側列の貫通穴１０の内周面には、近位側列の各貫通穴１０の軸心１０ａを含み、上記遠位側列の貫通穴９に通された骨ネジ又は骨ピン７の隣り合うもの同士間を通る平面１０ｂが上記内周面と交差する箇所において、骨ピン８又は骨ネジの頭部８ａの雄ネジと噛み合う突起１３の列が上記軸心１０ａの方向に並ぶように形成される。図６に示すように、各突起１３は貫通穴１０の内周面に沿って多少湾曲するように形成される。
【００３２】
この突起１３の列は、雌ネジの一部として形成されたものとすることもできる。この雌ネジの形成は、貫通穴１０の内周面に隆起部を形成しておいて、この隆起部に雌ネジを切ることによっても行うことができ、或いは、貫通穴１０の内周面に雌ネジを切った後、雌ネジを上記軸心１０ａの方向に横切るように切除することによっても行うことができる。
【００３３】
また、上記突起１３である雌ネジは、一条ネジとしても多条ネジとしても形成することができる。これに対応して骨ピン８又は骨ネジの頭部８ａの雄ネジも条数が選定される。
【００３４】
このように貫通穴１０の内周面に突起１３の列が形成されることから、近位側列の各貫通穴１０に装着される骨ピン８又は骨ネジは、その頭部８ａを術者が図示しない工具で回すと、頭部８ａの雄ネジが突起１３の列に噛み合いつつ上記平面１０ｂ内で螺進する。また、図７（Ａ）（Ｂ）（Ｃ）に示すように、術者の操作に応じて骨ネジ又は骨ピン８の頭部の雄ネジは突起の列との噛み合い位置は変更可能である。このため、骨ピン８又は骨ネジは上記平面１０ｂ外に出ることなく上記平面１０ｂ内で方向が調整されたうえで骨内に入り込む。
【００３５】
従って、近位側列の各貫通穴１０に装着される骨ピン８又は骨ネジは、遠位側列の貫通穴９に通された骨ピン７又は骨ネジに接触することなく、適正な位置に挿入されて軟骨下骨６ｃに接することとなり、迅速な施術が可能となる。
【００３６】
かくて単軸型の骨ピン７又は骨ネジと平面内多軸型の骨ピン８又は骨ネジは、図２及び図３のような配置状態で橈骨６の遠位端部６ａ内の軟骨下骨６ｃに接触し、図８のごとき骨片２ａ，２ｂの落ち込みを防止する。
【００３７】
その他、図１及び図４（Ａ）（Ｂ）に示すように、頭板部５ａにおける遠位側列の貫通穴９の近傍には、必要に応じて複数個の仮止め孔１７が設けられる。仮止め孔１７に図示しない仮止めピンが挿入され、橈骨６の遠位端部６ａに突き立てられることにより、骨折治療用プレート５が橈骨６の遠位端部６ａに仮止めされる。
【００３８】
仮止め孔１７を利用することにより、骨ピン７，８又は骨ネジの装着に先立ち遠位端部６ａの骨片を骨折治療用プレート５に仮止めすることができるので、骨ピン７，８又は骨ネジを簡易かつ正確に装着することができる。仮止めピンは、仮止め孔１７に挿入可能な釘様の細長い棒材である。
【００３９】
また、図１及び図４（Ａ）（Ｂ）に示すように、骨折治療用プレート５の幹板部５ｂにも貫通穴１８，１９が設けられる。これらの貫通穴１８，１９を通して骨ネジ２０又は骨ピンが橈骨６の幹部６ｂに挿入されると、骨折治療用プレート５の幹板部５ｂが橈骨６に固定される。これらの貫通穴１８，１９及びこれらの貫通穴１８，１９に通される骨ピン又は骨ネジは従来のものと同様な構成であるから、その詳しい説明は省略する。
【００４０】
次に、上記構成の骨折治療用プレートの作用の一例について説明する。
【００４１】
図１に示すように、左手の橈骨６が骨折し、遠位端部６ａが幹部６ｂから分断され、しかも骨片に分断されたものとする。
【００４２】
まず、術者によって左手の掌を上にして手首近傍が切開され、露出した橈骨６に向かって図４（Ａ）（Ｂ）に示す骨折治療用プレート５が差し込まれ、骨折治療用プレート５の頭板部５ａが橈骨６の骨折線Ａを跨ぐように遠位端部６ａに当てられ、幹板部５ｂが幹部６ｂに当てられる。
【００４３】
次いで、ドリル等の穿孔具（図示せず）で橈骨６の幹部６ｂに下穴があけられ、貫通穴１８，１９を通して骨ネジ２０又は骨ピンが下穴に緩めにねじ込まれる。これにより、骨折治療用プレート５が橈骨６の幹部６ｂに仮止めされる。
【００４４】
続いて、骨折治療用プレート５の頭板部５ａの遠位側列における貫通穴９の雌ネジ９ａに筒状のガイド（図示せず）がねじ込まれて固定され、このガイドからドリル等の穿孔具（図示せず）が通され、橈骨６の遠位端部６ａに貫通穴９の貫通方向に下穴が形成される。この下孔は図２に示す軟骨下骨６ｃに接するように形成される。
【００４５】
単軸型の骨ピン７又は骨ネジが適宜選別され、この貫通穴９を通して遠位端部６ａに単軸型の骨ピン７又は骨ネジが下孔内へと突き立てられる。そして、図５に示すように、それらの頭部７ａの雄ネジが貫通穴９の雌ネジ９ａに螺入される。
【００４６】
これにより、橈骨６の遠位端部６ａが骨折治療用プレート５に固定される。また、骨ピン７又は骨ネジの頭部７ａの雄ネジと貫通穴９の雌ネジ９ａとの螺合を介して骨折治療用プレート５に固定された単軸型の骨ピン７又は骨ネジの軸部７ｂの表面が遠位端部６ａ内の軟骨下骨６ｃに接触することから、骨ピン７又は骨ネジが術後に緩んだり、傾いたりすることがなく、上記接触状態が保たれる。従って、図８のような骨片２ａ，２ｂの落ち込み等が防止される。
【００４７】
また、骨折治療用プレート５の頭板部５ａの近位側列における貫通穴１０からドリル等の穿孔具（図示せず）が所望の向きに通され、遠位端部６ａの骨片へと下穴が形成される。この下孔は、図２に示すように、上記下孔とは異なる方向から軟骨下骨２ｃに接するように形成される。
【００４８】
平面内多軸型の骨ピン８又は骨ネジが適宜選別され、この貫通穴１０を通して遠位端部６ａに平面内多軸型の骨ピン８又は骨ネジが下孔内へと突き立てられる。
【００４９】
そして、骨ピン８又は骨ネジの頭部８ａが術者の操作する図示しない工具によって回されると、頭部８ａの雄ネジが突起１３の列に噛み合いつつ上記平面１０ｂ内で螺進する。その際、図７（Ａ）（Ｂ）（Ｃ）に示すように、術者の操作により骨ピン８又は骨ネジの頭部８ａの雄ネジと突起１３の列との噛み合い位置がずらされることにより、骨ピン８又は骨ネジの骨折治療用プレート５に対する傾斜角が上記平面１０ｂ内において変更可能である。このため、骨ピン８又は骨ネジは上記平面１０ｂ外に出ることなく上記平面１０ｂ内で適正な方向に調整されたうえで骨内に入り込む。
【００５０】
従って、近位側列の各貫通穴１０に装着される骨ピン８又は骨ネジは、遠位側列の貫通穴９に通された骨ピン７又は骨ネジに接触することなく、骨内に挿入されて軟骨下骨６ｃに接する。
【００５１】
その後、橈骨６の幹部６ｂ側に仮止めされた骨ネジ２０又は骨ピンが締め付けられる。
【００５２】
かくて、図１に示すように、橈骨６の遠位端部６ａと幹部６ｂが骨折治療用プレート５を介して一体的に固定され、遠位側列の所望の貫通穴９に挿入された単軸型の骨ピン７又は骨ネジが軟骨下骨６ｃに当接し、かつ近位側列の所望の貫通穴１０に挿入された平面内多軸型の骨ピン８又は骨ネジが軟骨下骨６ｃの上記単軸型の骨ピン７又は骨ネジが当接する箇所とは異なる箇所に当接した状態が保持される。
【００５３】
なお、上記各実施の形態では左手の橈骨の骨折治療用プレートを例にとって説明したが、本発明は右手の橈骨の骨折治療用プレートにも適用可能である。また、橈骨に掌側から当てる骨折治療用プレートを例にとって説明したが、本発明は甲側から当てる骨折治療用プレートにも適用可能である。さらに、橈骨以外の骨についても適用可能である。
【符号の説明】
【００５４】
５…骨折治療用プレート
５ａ…頭板部
５ｂ…幹板部
６…橈骨
６ａ…遠位端部
６ｂ…幹部
６ｃ…軟骨下骨
７…単軸型の骨ピン
７ａ…頭部
８…平面内多軸型の骨ピン
８ａ…頭部
９，１０…貫通穴
９ａ…雌ネジ
１０ａ…軸心
１０ｂ…平面
１３…突起
【図１】
2014147553.tif 000003
【図２】
2014147553.tif 000004
【図３】
2014147553.tif 000005
【図４】
2014147553.tif 000006
【図５】
2014147553.tif 000007
【図６】
2014147553.tif 000008
【図７】
2014147553.tif 000009
【図８】
2014147553.tif 000010